(57)【要約】　　　（修正有）【課題】　断熱効果が高く、簡易な施工で安価に迅速に施工できる屋根裏断熱構造の提供。【解決手段】　断熱用反物長尺シート１を、ほぼ屋根裏面９の全面積に対向させて、屋根材９０を支える屋根架構としての棟木９１及び小屋梁９２、及び棟木９３にコ状針の打ち込み（市場ではタッカーと称す）により直接に打ち付けることで、屋根裏面９を覆う状態に断熱用反物長尺シート１を敷設して、室内への入熱遮断を行っている。断熱用シート１と屋根材９０の裏面との間には、必ずしも空隙を設ける必要はなく、断熱用シート１が屋根架構材９０の裏面に接触するように、断熱用反物長尺シート１を屋根材９０の裏面にコ状針等の打ち込みよって直接に取り付けるようにしても良い。【選択図】　図１
0003099806.tif 000002
【実用新案登録請求の範囲】
【請求項１】
既築家屋の屋根内面に、少なくとも片面が低放射率面に形成された柔軟性のある断熱用反物長尺シートが、屋根裏面又は／および天井裏面に対向するように、屋根材又は／および棟木又は／および垂木又は／および母屋又は／および天井材又は／および梁又は／および野縁に、該断熱用反物長尺シートの止め部材として、コ状針又は／およびビス又は／および釘を打ち込むことで取り付けられ敷設されていることを特徴とする屋根裏断熱構造。
【請求項２】
請求項１記載の屋根裏断熱構造において、断熱用反物長尺シートが、止め部材としてのテープの貼付け又は／および粘着材の塗布により取り付けられ敷設されていることを特徴とする屋根裏断熱構造。
【請求項３】
請求項１記載の屋根裏断熱構造において、断熱用反物長尺シートが、止め部材としての紐状体での挟持により取り付けられ敷設されていることを特徴とする屋根裏断熱構造。
【請求項４】
請求項１〜３記載の屋根裏断熱構造において、複数の断熱用反物長尺シートが重合状態で継ぎ足されて敷設され、前記重合部を前記止め部材により取り付けることで敷設されていることを特徴とする屋根裏断熱構造。
【考案の詳細な説明】
【技術分野】
【０００１】
　本考案は、太陽により加熱された家屋材からの熱が、直接、もしくは天井材を介して室内へ伝達することを抑制させるための構造に関するもので、特に既築の構造物への適用も可能で、主に放射伝熱による室内への入熱を低減させることができる屋根裏断熱構造に関するものである。
【背景技術】
【０００２】
　近年、省エネルギーの観点から住宅の高断熱化が重要となってきている。断熱対象となる部位は、屋根、壁、床などがあるが、特に夏季の日中の屋根裏断熱が室内温度の低減には有効である。
【０００３】
　従来の断熱技術として、断熱材に工夫を凝らすことで断熱性能を上げることが、盛んに開発されてきた。
古くから用いられている方法として、天井板の上にグラスウールなどで形成された断熱材を敷設する方法がよく用いられている（従来技術１）。
【０００４】
　また、屋根裏断熱を目的として、セメント系板材に断熱材と反射材を積層して断熱性に優れた屋根材とした技術がある（特許文献１参照）。
【０００５】
　さらに、壁や屋根パネル裏面に断熱材を貼り、前記断熱材を覆うシートを内面に隙間を持たせて設けて鉛直方向に繋がる空間を作り、外部からの断熱と空気温度差による前記空間でのトンネル効果気流による冷却を狙った技術が提案されている（特許文献２参照）。
【０００６】
　また、壁から屋根に連なる高気密のアルミニュウム被膜断熱ボードを、外壁および屋根との間に通気層を形成するように設けて、家屋の外郭を二重壁構造とする高気密高断熱家屋の提案がされている（特許文献３参照）。
【０００７】
　また、アルミ箔やアルミ蒸着を積層したシートを複数層重ね、起立片でシート間に空気通気層を作り、断熱を行うようにした技術が知られている（特許文献４参照）。
【特許文献１】特許第３２２７１４０号公報
【特許文献２】特許第３０３０４２９号公報
【特許文献３】特開平９−１５８３５３号公報
【特許文献４】特許登録第３００９５１２号広報
【考案の開示】
【考案が解決しようとする課題】
【０００８】
　従来技術１は、天井裏に単に置くだけの施工であるため、簡便であり、非常によく用いられているが、微細ファイバーを用いるため、どうしても肌を刺すチカチカ感や繊維の飛散のおそれがあり、また、輻射熱に対しては遮熱性が十分ではない。
　また、上記の各特許文献に記載された従来技術は、いずれも、材としての工夫はなされているが、取付工事の工夫が不十分で、施工に時間を要し、特に既築家屋に後施工として適用することは難しい。
【０００９】
　以上説明したように、従来の断熱技術は、材や構造の工夫に偏り、施工技術の改善がおろそかになっており、結局は時間とコストに問題点を残し、また、柔軟な適用が困難である等の問題点も生じていた。
【００１０】
　本考案は、上記の点に鑑みてなされたもので、効果が高く、簡易な施工で安価に迅速に施工できる屋根裏断熱構造を提供することを課題としている。
　特に、夏場の室温上昇対策では屋根からの入熱抑制が最も有効であるが、安価な断熱工法が実現できていなかった。
【００１１】
　本考案は敷設作業が容易に行え、かつ、既存家屋に後施工することも容易な施工を可能にする。
　屋根裏断熱工事は狭いうえに障害物が多くあり、時としては高所作業となるので、施工が簡便で、寸法許容精度が大きいもの、狭い空間への搬入と広い面積への取り付けが容易で、低い寸法精度で施工しても遮熱性能が低下しないものであることが、非常に重要で、本考案はこれを可能にしたものである。
【課題を解決するための手段】
【００１２】
　上記の課題を解決するために、本考案の屋根裏断熱構造（請求項１）は、
　既築家屋の屋根内面に、少なくとも片面が低放射率面に形成された柔軟性のある断熱用反物長尺シートが、屋根裏面又は／および天井裏面に対向するように、屋根材又は／および棟木又は／および垂木又は／および母屋又は／および天井材又は／および梁又は／および野縁に、該断熱用反物長尺シートの止め部材として、コ状針又は／およびビス又は／および釘を打ち込むことで取り付けられ敷設されている構成とした。
【００１３】
　また、断熱用反物長尺シートが、止め部材としてのテープの貼付け又は／および粘着材の塗布により取り付けられ敷設されている構成（請求項２）や、止め部材としての紐状体での挟持により取り付けられ敷設されている構成（請求項３）がある。
【００１４】
　また、請求項１〜３記載の屋根裏断熱構造において、複数の断熱用反物長尺シートが重合状態で継ぎ足されて敷設され、前記重合部を前記止め部材により取り付けることで敷設されている構成（請求項４）がある。
【００１５】
　断熱用反物長尺シートの表面部材は、放射熱遮熱の効果が期待できるものであれば何でも良く、アルミニュウム、銅などの金属系のフィルムや、これらの片を混入した塗装面でも良いが、光沢をもたせた面とすることが最も好ましい。
　また、放射率は、好ましくは０．５以下、さらには０．３以下で小さいほど好ましく、さらに、断熱用反物長尺シートの屋根に対向する側の面の放射率が、該断熱用反物長尺シートの裏面と等しいか、もしくは低い放射率とすることが最も好ましい。
【考案の効果】
【００１６】
　本考案の屋根裏断熱構造では、少なくとも片面が低放射率面に形成された柔軟性のある断熱用反物長尺シートを用いているため、障害物が多くあり、時としては高所作業となる屋根裏断熱工事の安全性や作業性が向上し、折りたたんだり皺を生じさせて施工できるので、施工自由度が高く、狭い空間への搬入と広い面積への容易な取り付けが可能で、迅速で効果の高い屋根裏断熱が実施できる。
【００１７】
　又、断熱用反物長尺シートを、屋根裏面又は／及び天井裏面に対向するように、屋根材や屋根架構材又は天井材や天井架構材に直接に取り付けて敷設させるため、その敷設作業を簡単に行うことができる。
特に天井板を設けない、室内で屋根材が剥き出しになる工場や倉庫、畜舎などの夏場の室温上昇対策が安価に、かつ容易に実施可能で、また、既存の家屋にシート断熱を後施工することも可能になる等の利点もある。
【００１８】
　従って、本考案によれば、特に冷房負荷の低減に非常に有効な夏季の日中の屋根裏断熱が、簡易、かつ安全で安価に達成でき、工場の熱的労働環境を改善し、畜舎などの夏季の猛暑環境回避ができ、また、地球環境を守るために重要テーマとなっている住宅の高断熱化による省エネルギーに大きく貢献できるものである。
【考案を実施するための最良の形態】
【００１９】
　以下説明を容易にするため、図を用いて実施例を示す。
　図１は一般家屋に適用した本考案の第１実施例である屋根裏断熱構造の全体図である。
【００２０】
　この第１実施例では、断熱用反物長尺シート１を、ほぼ屋根裏面９の全面積に対向させて、屋根材９０を支える屋根架構としての棟木９１及び小屋梁９２、及び棟木９３にコ状針の打ち込み（市場ではタッカーと称す）により直接に打ち付けることで、屋根裏面９を覆う状態に断熱用反物長尺シート１を敷設して、室内への入熱遮断を行っている。
【００２１】
　この場合、断熱用シート１と屋根材９０の裏面との間には、必ずしも空隙を設ける必要はなく、断熱用シート１が屋根架構材９０の裏面に接触するように、断熱用反物長尺シート１を屋根材９０の裏面にコ状針等の打ち込みよって直接に取り付けるようにしても良い。
　なお、堅い木材や節上に取り付けが必要な場合には、コ状針の代わりにビスや釘で取り付けるのが好ましい。
【００２２】
　また、屋根材９０の裏面や屋根材９０を支える屋根架構としての棟木９１及び小屋梁９２、及び棟木９３への断熱用反物長尺シート１の取り付けにおいては、テープや粘着材によって直接に貼り付けるようにしても良い。
なお、テープや粘着材は耐熱用のものとすることが、高温となる屋根裏環境においては好ましい。
【００２３】
　断熱用反物長尺シート１は合成繊維やガラス繊維で織られた丈夫なシートに、両面アルミペイントが塗布されており、表面・裏面ともに放射率が０．３程度のシートとなっている。もし、片面にのみアルミペイントが塗布されたシートであれば、太陽熱の入熱側の放射率を低くすることが肝要なので、放射率が０．９に近い合成繊維の剥き出し面でなく、アルミペイントが塗布された側を屋根面方向、つまり、上面にして断熱用反物長尺シート１を敷設する。
【００２４】
　低放射率シートの表面部材は、放射熱遮熱の効果が期待できるものであれば何でも良く、アルミニュウム、銅などの金属系のフィルムや、これらの片を混入した塗装面でも良いが、光沢をもたせた面とすることが最も好ましい。
　また、放射率は好ましくは０．５以下、さらには０．３以下で小さいほど好ましく、さらに、前記シートの屋根に対応する側の面の放射率が、該シートの裏面より等しいか、もしくは低い放射率とすることが最も好ましい。
【００２５】
　断熱用反物長尺シート１は施工性を良くするために、１枚重量が１０ｋｇ程度以下で、人手の取扱が容易な反物状のシートで、屋根裏の施工を考慮して長尺でロール状にしたものを、なるべくシート間の接続隙間が少なくなるように、その端を繋いで、複数枚敷設しても良い。
　この場合、通常のテントシートなどでよく行われているように、反物状シートの端を適当なピッチで穴あけ加工して、鳩目リング金具で穴部を補強し、該リングにロープを通してシート同士を繋げるようにしたものを用いると、施工が容易で、かつ丈夫なシートとすることができる。
　また、シート同士を繋げる手段としては、テープや紐などで接合しても良く、テープは、耐熱用の粘着テープを用いるのが好ましい。
【００２６】
　また、本考案の目的と断熱用反物長尺シート１の使用環境においては、屋根裏での１５０度以下の遠赤外線域の波長での放射遮蔽が主体であり、太陽光における可視光線領域での反射のような色の効果は殆どないので、低放射率化のために、シートを白色にする意味は殆どない。
【００２７】
　なお、この第１実施例では、屋根架構としての小屋梁９２及び棟木９３に吊り金具５０を取り付け、この吊り金具５０にも断熱用長尺シート５を吊持させて、2層の断熱用シート１，５による屋根裏断熱構造に形成している。
　このように、複数層の断熱用反物長尺シート１，５を設けることで、太陽入熱の抑制効果を向上させることができる。
【００２８】
次に、図２は、一般家屋に適用した本考案の第２の実施例である屋根裏断熱構造の全体図である。
この実施例では、断熱用反物長尺シート２を、ほぼ天井裏全面８の全面積に対向させて、天井材８１を支える天井架構材としての天井梁８２や野縁にコ状針の打ち込み（市場ではタッカーと称す）により直接に打ち付けることで、天井裏面８を覆う状態に断熱用反物長尺シート２を敷設して、室内への入熱遮断を行っている。
この場合、断熱用反物長尺シート２と天井材８１の裏面との間には、必ずしも空隙を設ける必要はなく、断熱用反物長尺シート２が天井材８１の裏面に接触するように、断熱用反物長尺シート２を天井材８１の裏面にコ状針等の打ち込みによって直接に取り付けるようにしてよい。
【００２９】
　なお、この第２実施例において、前記第１実施例で示した屋根裏面９を断熱用反物長尺シート１で覆う屋根裏断熱構造と組み合わせた構造にすることができる。
【００３０】
　次に、図３は一般家屋に適用した本考案の第３実施例である屋根裏断熱構造を下方から見た部分斜視図である。
　この場合、屋根裏面９の全面積に対向させた断熱用シート３の下側に、屋根架構材としの小屋梁９２に沿って紐状体６を緊張状態に張設して、この紐状体６より断熱用反物長尺シート３を小屋梁９２の隅部分に挟み込むことで、屋根裏面９を覆う状態に断熱用反物長尺シート３を敷設して、室内への入熱遮熱を行っている。
【００３１】
　なお、この紐状体６による取り付けは、断熱用反物長尺シートを天井裏面に取り付ける場合にも適用することができるもので、この場合、断熱用反物長尺シートを、紐状体により天井板や天井梁や野縁などに挟むようにする。
【００３２】
　なお、紐状体としては、針金や紐などがあるが、断熱用反物長尺シートを支持できることが可能であれば何でも良い。
【００３３】
　なお、この第３実施例において、前記第1実施例で示した屋根裏面９を断熱用反物長尺シート１で覆う屋根裏断熱構造や、前記第２実施例で示した天井裏面８を断熱用反物長尺シート１で覆う屋根裏断熱構造と組み合わせた構造にすることができる。
【００３４】
　以上、本考案の実施例を説明したが、本考案は、一般家屋の屋根裏断熱に適用できるだけでなく、工場や倉庫や畜舎などにみられる屋根が剥き出しの建物の屋根裏断熱にも適用可能であり、コンクリート構造の建築物での屋根裏断熱にも適用可能である。
【００３５】
　また、断熱用反物長尺シートの母材は特に材質の制限はないが、条件によっては１００度近くまで温度が上がるので、この場合は耐熱性に配慮した材質の選定が必要である。シートの低放射率化はアルミペイント塗布による方法が最も簡単であるが、より低放射率化を狙って、アルミの箔を表層に貼っても良いし、亜鉛や銅、チタンなどいろいろな金属によっても用途に応じた低放射率化が可能である。
【００３６】
　又、実施例では、断熱用反物長尺シートを、ほぼ屋根裏面の全面積又は天井裏面の全面積に対向して敷設するとしたが、屋根裏面の一部、例えば、居間や寝室の天井裏部分等、部分的に対向して敷設させるものについても本考案に含まれる。
【００３７】
　又、断熱用反物長尺シートの敷設方向については、例えば、断熱用反物長尺シートの長手方向を垂木や梁の長手方向にしたり、或いは垂木や梁の長手方向と直交する方向にしたりするのは任意である。
【図面の簡単な説明】
【００３８】
【図１】一般家屋に適用した本考案の第１実施例である屋根裏断熱構造の全体図である。
【図２】一般家屋に適用した本考案の第２実施例である屋根裏断熱構造の全体図である。
【図３】一般家屋に適用した本考案の第３実施例である屋根裏断熱構造を下方から見た部分斜視図である。
【符号の説明】
【００３９】
　　　１　断熱用反物長尺シート
　　　２　断熱用反物長尺シート
　　　３　断熱用反物長尺シート
　　　５　断熱用反物長尺シート
　　　６　紐状体
　　　８　天井裏面
　　　９　屋根裏面
　　５０　吊り金具
　　８１　天井材
　　８２　天井梁
　　９０　屋根材
　　９１　棟木
　　９２　小屋梁
　　９３　棟木
【図１】
0003099806.tif 000003
【図２】
0003099806.tif 000004
【図３】
0003099806.tif 000005